(57)【特許請求の範囲】
【請求項１】
ガラスファイバと当該ガラスファイバを被覆する被覆部とを有する光ファイバ心線が載置されると共に、前記被覆部を切断する第１切断刃を有する光ファイバ載置部と、
前記光ファイバ載置部に対して開閉可能に設けられていると共に、前記光ファイバ載置部に対して閉められたときに前記第１切断刃と対向する位置に配置された第２切断刃を有する蓋部と、を有する被覆除去部を備える被覆除去器であって、
前記第１切断刃と前記第２切断刃との間隔を調整する調整治具を備え、
前記調整治具は、
前記被覆除去部に着脱可能に取り付けられる本体部と、
前記本体部に対して可動する可動部と、
前記可動部に設けられ、当該可動部の動作に伴って、前記第１切断刃と前記第２切断刃との間に位置する第１の位置と、前記第１切断刃と前記第２切断刃との間に位置しない第２の位置とに移動するスペーサ部と、を有し、
前記可動部は、前記本体部に対して回転可能に設けられている、被覆除去器。
【請求項２】
前記本体部は、前記被覆除去部に係合する第１の係合部及び第２の係合部と、前記第１の係合部と前記第２の係合部とを連結する連結部と、を有し、
前記連結部は弾性部材を含んで構成されている、請求項１記載の被覆除去器。
【請求項３】
前記連結部の前記弾性部材は、板ばねである、請求項２記載の被覆除去器。
【請求項４】
ガラスファイバと当該ガラスファイバを被覆する被覆部とを有する光ファイバ心線が載置されると共に、前記被覆部を切断する第１切断刃を有する光ファイバ載置部と、
前記光ファイバ載置部に対して開閉可能に設けられていると共に、前記光ファイバ載置部に対して閉められたときに前記第１切断刃と対向する位置に配置された第２切断刃を有する蓋部と、を有する被覆除去部を備える被覆除去器に取り付けられ、前記第１切断刃と前記第２切断刃との間隔を調整する調整治具であって、
前記被覆除去部に着脱可能に取り付けられる本体部と、
前記本体部に対して可動する可動部と、
前記可動部に設けられ、当該可動部の動作に伴って、前記第１切断刃と前記第２切断刃との間に位置する第１の位置と、前記第１切断刃と前記第２切断刃との間に位置しない第２の位置とに移動するスペーサ部と、を有し、
前記可動部は、前記本体部に対して回転可能に設けられている、調整治具。
【発明の詳細な説明】
【技術分野】
【０００１】
本発明は、光ファイバの被覆部を除去する被覆除去器及びそれに取り付けられる調整治具に関する。
【背景技術】
【０００２】
光ファイバとしては、ガラスファイバを被覆する被覆部が複層になっているものがある。この光ファイバにおいて、それぞれの被覆部を個別に除去するためには、被覆部を切断する一対の切断刃の間隔を調整する必要がある。例えば、特許文献１に記載の被覆除去器は、切断刃において刃部よりも先方に突出する階段状の突出部を設け、一対の切断刃を対向させたときに、階段状の突出部を互いに当接させる位置を変えることにより、一対の刃部の間隔を調整している。
【先行技術文献】
【特許文献】
【０００３】
【特許文献１】特開２００３−１４３７２７号公報
【発明の概要】
【発明が解決しようとする課題】
【０００４】
上記従来の被覆除去器のように、切断刃を移動させて一対の刃部の間隔を調整する構成では、切断刃自体が小さいため、切断刃を移動させることが容易ではない。そのため、作業性が良くないといった問題がある。
【０００５】
本発明は、光ファイバの被覆部除去の作業性の向上を図ることができる被覆除去器及び調整治具を提供することを目的とする。
【課題を解決するための手段】
【０００６】
本発明は、その一側面として、ガラスファイバと当該ガラスファイバを被覆する被覆部とを有する光ファイバ心線が載置されると共に、被覆部を切断する第１切断刃を有する光ファイバ載置部と、光ファイバ載置部に対して開閉可能に設けられていると共に、光ファイバ載置部に対して閉められたときに第１切断刃と対向する位置に配置された第２切断刃を有する蓋部と、を有する被覆除去部を備える被覆除去器であって、第１切断刃と第２切断刃との間隔を調整する調整治具を備え、調整治具は、被覆除去部に着脱可能に取り付けられる本体部と、本体部に対して可動する可動部と、可動部に設けられ、当該可動部の動作に伴って、第１切断刃と第２切断刃との間に位置する第１の位置と、当該第１の位置以外の第２の位置とに移動するスペーサ部と、を有している。
【０００７】
本発明は、その他側面として、ガラスファイバと当該ガラスファイバを被覆する被覆部とを有する光ファイバ心線が載置されると共に、被覆部を切断する第１切断刃を有する光ファイバ載置部と、光ファイバ載置部に対して開閉可能に設けられていると共に、光ファイバ載置部に対して閉められたときに第１切断刃と対向する位置に配置された第２切断刃を有する蓋部と、を有する被覆除去部を備える被覆除去器に取り付けられ、第１切断刃と第２切断刃との間隔を調整する調整治具であって、被覆除去部に着脱可能に取り付けられる本体部と、本体部に対して可動する可動部と、可動部に設けられ、当該可動部の動作に伴って、第１切断刃と第２切断刃との間に位置する第１の位置と、当該第１の位置以外の第２の位置とに移動するスペーサ部と、を有している。
【発明の効果】
【０００８】
本発明によれば、光ファイバの被覆部除去の作業性の向上を図ることができる。
【図面の簡単な説明】
【０００９】
【図１】一実施形態に係る被覆除去器を示す斜視図である。
【図２】図１に示す被覆除去器において蓋部が開けられた状態を示す斜視図である。
【図３】光ファイバの断面構成を示す図である。
【図４】調整治具を示す斜視図である。
【図５】調整治具による一対の刃部の間隔の調整を示す図である。
【発明を実施するための形態】
【００１０】
［本発明の実施形態の説明］
最初に、本発明の実施形態を列記して説明する。
【００１１】
本発明は、その一側面として、ガラスファイバと当該ガラスファイバを被覆する被覆部とを有する光ファイバ心線が載置されると共に、被覆部を切断する第１切断刃を有する光ファイバ載置部と、光ファイバ載置部に対して開閉可能に設けられていると共に、光ファイバ載置部に対して閉められたときに第１切断刃と対向する位置に配置された第２切断刃を有する蓋部と、を有する被覆除去部を備える被覆除去器であって、第１切断刃と第２切断刃との間隔を調整する調整治具を備え、調整治具は、被覆除去部に着脱可能に取り付けられる本体部と、本体部に対して可動する可動部と、可動部に設けられ、当該可動部の動作に伴って、第１切断刃と第２切断刃との間に位置する第１の位置と、当該第１の位置以外の第２の位置とに移動するスペーサ部と、を有している。
【００１２】
この被覆除去器は、第１切断刃と第２切断刃との間隔を調整する調整治具を備えている。これにより、ガラスファイバを被覆する被覆部が複層である場合であっても、被覆部の直径に応じて第１切断刃と第２切断刃との間隔を調整できるため、各被覆部の除去を被覆除去器で行うことができる。特に、調整治具において、本体部は、被覆除去部に着脱可能に取り付けられており、スペーサ部は、可動部と共に移動することで、第１刃切断刃と第２切断刃との間に位置する第１の位置と、第１の位置以外の第２の位置とに移動する。すなわち、可動部を動作させる操作により、第１切断刃と第２切断刃との間隔を調整できる。このように、被覆除去器では、調整治具を容易に取り付けることができると共に、第１切断刃と第２切断刃との間隔の調整を容易に行うことができる。したがって、被覆除去器では、光ファイバの被覆部除去の作業性の向上を図ることができる。
【００１３】
本発明は、その他側面として、ガラスファイバと当該ガラスファイバを被覆する被覆部とを有する光ファイバ心線が載置されると共に、被覆部を切断する第１切断刃を有する光ファイバ載置部と、光ファイバ載置部に対して開閉可能に設けられていると共に、光ファイバ載置部に対して閉められたときに第１切断刃と対向する位置に配置された第２切断刃を有する蓋部と、を有する被覆除去部を備える被覆除去器に取り付けられ、第１切断刃と第２切断刃との間隔を調整する調整治具であって、被覆除去部に着脱可能に取り付けられる本体部と、本体部に対して可動する可動部と、可動部に設けられ、当該可動部の動作に伴って、第１切断刃と第２切断刃との間に位置する第１の位置と、当該第１の位置以外の第２の位置とに移動するスペーサ部と、を有している。
【００１４】
この調整治具では、本体部は、被覆除去部に着脱可能に取り付けられ、スペーサ部は、可動部と共に移動することで、第１切断刃と第２切断刃との間に位置する第１の位置と、第１の位置以外の第２の位置とに移動する。すなわち、可動部を動作させる操作により、第１切断刃と第２切断刃との間隔を調整できる。このように、調整治具は、被覆除去部（被覆除去器）に容易に取り付けることができると共に、第１切断刃と第２切断刃との間隔の調整を容易に行うことができる。したがって、光ファイバの被覆部除去の作業性の向上を図ることができる。
【００１５】
一実施形態においては、本体部は、被覆除去部に係合する第１の係合部及び第２の係合部と、第１の係合部と第２の係合部とを連結する連結部と、を有し、連結部は弾性部材を含んで構成されていてもよい。これにより、調整治具の着脱をより容易に行うことが可能となる。
【００１６】
一実施形態においては、連結部の弾性部材は、板ばねであってもよい。
【００１７】
一実施形態においては、可動部は、本体部に対して回転可能に設けられていてもよい。これにより、調整治具では、可動部を回転させることにより、スペーサ部を、第１の位置と第２の位置とに移動させることができる。したがって、スペーサ部の設置と取り外しをより容易に行うことが可能となる。
【００１８】
［本願発明の実施形態の詳細］
以下、添付図面を参照して、本発明の好適な実施形態について詳細に説明する。なお、図面の説明において同一又は相当要素には同一符号を付し、重複する説明は省略する。
【００１９】
［被覆除去器］
図１は、一実施形態に係る被覆除去器を示す斜視図である。図２は、図１に示す被覆除去器において蓋部が開けられた状態を示す斜視図である。図１及び図２に示される被覆除去器１は、図３に示されるように、光ファイバ心線１００のガラスファイバ１０２を被覆する第１被覆部１０４又は第２被覆部１０６を除去するための装置である。
【００２０】
図１及び図２に示されるように、被覆除去器１は、光ファイバホルダ保持部３と、本体部５と、を備えている。
【００２１】
光ファイバホルダ保持部３は、本体部５の一端側に連結されている。光ファイバホルダ保持部３は、本体部５側へ延在する２本のスライドシャフト７ａ，７ｂを有している。スライドシャフト７ａ，７ｂは、本体部５に設けられた摺動孔１７ａ，１７ｂ内へ摺動可能に挿通されている。これにより、光ファイバホルダ保持部３は、本体部５に対して近接する方向及び離間する方向にスライド自在に設けられている。なお、以下の説明においては、光ファイバホルダ保持部３を本体部５から離間させる方向、すなわち光ファイバ心線１００を引き抜く方向を、被覆除去器１の前方とする。
【００２２】
光ファイバホルダ保持部３は、光ファイバ心線１００を保持する光ファイバホルダＨを保持する。光ファイバホルダ保持部３は、光ファイバ心線１００を保持する光ファイバホルダＨが載置されるホルダ搭載部９と、ホルダ搭載部９に対してヒンジ１０により開閉自在に設けられた蓋部１１と、を有している。光ファイバホルダ保持部３は、ホルダ搭載部９に載置された光ファイバホルダＨを、ホルダ搭載部９と蓋部１１とにより挟んで保持する。
【００２３】
光ファイバホルダＨに保持される光ファイバ心線１００は、図３に示されるように、ガラスファイバ１０２と、ガラスファイバ１０２を被覆する第１被覆部１０４と、第１被覆部１０４を被覆する第２被覆部１０６と、を有する。第１被覆部１０４及び第２被覆部１０６は、樹脂製である。ガラスファイバ１０２の直径Ｄ１は、例えば０．１２５ｍｍ、第１被覆部１０４の直径Ｄ２は、例えば０．２５ｍｍ、第２被覆部１０６の直径Ｄ３は、例えば０．５ｍｍである。
【００２４】
図１及び図２に戻って、光ファイバホルダＨは、光ファイバ心線１００の端部を保持する。この光ファイバホルダＨの光ファイバ心線１００に対する装着位置を調整することにより、被覆除去したい部分である光ファイバ心線１００の被覆除去対象部分の長さを決めることができる。
【００２５】
本体部５は、被覆除去部１３と、操作部１５と、を有している。被覆除去部１３は、光ファイバ心線１００が載置される光ファイバ載置部１７と、光ファイバ載置部１７に対してヒンジ１８により開閉自在に設けられた蓋部１９と、を有している。
【００２６】
光ファイバ載置部１７は、光ファイバ心線１００の被覆部１０４，１０６を切断する第１切断刃２０を有している。第１切断刃２０は、光ファイバ載置部１７の前側に配置されている。第１切断刃２０は、第１刃部２０ａと、第１刃部２０ａを支持する支持部２０ｂと、を有している。第１刃部２０ａと支持部２０ｂとは、例えば金属製であり、一体に形成されている。
【００２７】
蓋部１９は、光ファイバ心線１００の被覆部１０４，１０６を切断する第２切断刃２２を有している。第２切断刃２２は、蓋部１９の前側に配置されている。具体的には、第２切断刃２２は、蓋部１９が光ファイバ載置部１７に対して閉められたときに、第１切断刃２０と対向する位置に配置されている。第２切断刃２２は、第２刃部２２ａと、第２刃部２２ａを支持する支持部２２ｂと、を有している。第２刃部２２ａと支持部２２ｂとは、例えば金属製であり、一体に形成されている。
【００２８】
第１切断刃２０と第２切断刃２２とは、光ファイバ載置部１７に対して蓋部１９が閉じられたときに対向する。これにより、第１刃部２０ａと第２刃部２２ａとの間に位置する光ファイバ心線１００の被覆部１０４，１０６に切込を入れる（被覆部１０４，１０６を切断する）ことができる。第１刃部２０ａと第２刃部２２ａとの間隔は、第１被覆部１０４に切込みを入れると共に、ガラスファイバ１０２に当たらないように設定されている。
【００２９】
光ファイバ載置部１７は、加熱部２４を有している。加熱部２４は、第１切断刃２０よりも後方に配置されている。加熱部２４は、ヒータ２４ａを有している。ヒータ２４ａは、光ファイバ心線１００の被覆部１０４，１０６を加熱する。ヒータ２４ａは、光ファイバ載置部１７において前後方向に沿って延在している。ヒータ２４ａは、蓋部１９が光ファイバ載置部１７に対して閉められたときにオン、蓋部１９が光ファイバ載置部１７に対して開けられたときにオフとなるヒータ通電スイッチ（図示しない）により、電力の供給が制御されている。つまり、ヒータ２４ａは、光ファイバ載置部１７に対して蓋部１９が閉められると加熱される。
【００３０】
操作部１５は、被覆除去部１３の後方に配置されている。操作部１５には、電源のＯＮ／ＯＦＦやヒータ２４ａの温度を調節するためのスイッチ１６と、ヒータ２４ａの状態（温度、ＯＮ／ＯＦＦ）を示す表示部１６ａと、が設けられている。また、操作部１５には、ヒータ２４ａに電力を供給するバッテリ（図示しない）が内蔵されている。
【００３１】
本実施形態の被覆除去器１には、被覆除去部１３に調整治具３０が取り付けられている。調整治具３０は、第１切断刃２０の第１刃部２０ａと、第２切断刃２２の第２刃部２２ａとの間隔を調整するための器具である。上記のように、第１刃部２０ａと第２刃部２２ａとの間隔は、第１被覆部１０４に切込みを入れると共に、ガラスファイバ１０２に当たらないように設定されている。そのため、第１刃部２０ａと第２刃部２２ａとの間に光ファイバ心線１００を配置して被覆除去作業を行うと、第１被覆部１０４及び第２被覆部１０６の両方に切込みが入り、両被覆部１０４，１０６が除去される。第２被覆部１０６のみを除去する場合には、第１刃部２０ａと第２刃部２２ａとの間隔を調整する必要がある。調整治具３０は、第１刃部２０ａと第２刃部２２ａとの間隔、つまり第１刃部２０ａ及び第２刃部２２ａが被覆部１０４，１０６に食い込む深さ（切込み量）を調整する器具である。以下、調整治具３０について詳細に説明する。
【００３２】
［調整治具］
図４は、調整治具を示す斜視図である。調整治具３０は、光ファイバ載置部１７（被覆除去部１３）に対して着脱可能とされている。調整治具３０は、光ファイバ載置部１７の前側に取り付けられる。図４に示されるように、調整治具３０は、本体部３２と、可動部３４と、スペーサ部３６と、を備えている。
【００３３】
本体部３２は、光ファイバ載置部１７に取り付けられる。本体部３２は、光ファイバ載置部１７の側部１７ｃに係合する係合部（第１の係合部）３２ａと、光ファイバ載置部１７の側部１７ｄに掛止する爪部（第２の係合部）３２ｂと、係合部３２ａと爪部３２ｂとを連結する連結部３２ｃと、を有している。
【００３４】
係合部３２ａは、光ファイバ載置部１７の側部１７ｃ側に配置され、当該側部１７ｃに係合する。係合部３２ａは、光ファイバ載置部１７の側部１７ｃの外面に沿った略Ｕ字状の内側面３２ｓを有している。係合部３２ａは、例えば、プラスチック等の樹脂材料で形成されている。
【００３５】
爪部３２ｂは、光ファイバ載置部１７の側部１７ｄ側に引っ掛かる。詳細には、爪部３２ｂは、光ファイバ載置部１７の側部１７ｄにおいて、ヒンジ１８近傍に引っ掛かる。
【００３６】
連結部３２ｃは、板状の部材であり、略Ｌ字状を呈している。連結部３２ｃの一端部に係合部３２ａが設けられ、他端部に爪部３２ｂが設けられている。爪部３２ｂは、連結部３２ｃと一体成形されており、連結部３２ｃの他端部を加工することにより形成されている。連結部３２ｃは、例えば、板ばね等の弾性部材により形成されている。連結部３２ｃの弾性により、本体部３２は、光ファイバ載置部１７に着脱可能とされている。
【００３７】
詳細には、本体部３２を光ファイバ載置部１７に取り付けるときには、係合部３２ａと爪部３２ｂとの間隔を広げるように連結部３２ｃを撓ませ、係合部３２ａと爪部３２ｂ（連結部３２ｃ）により光ファイバ載置部１７を挟み込んで、本体部３２を光ファイバ載置部１７に取り付ける。同様に、本体部３２を光ファイバ載置部１７から取り外すときには、係合部３２ａと爪部３２ｂとの間隔を広げるように連結部３２ｃを撓ませ、光ファイバ載置部１７から本体部３２を取り外す。
【００３８】
可動部３４は、本体部３２に回動可能に設けられている。具体的には、可動部３４は、本体部３２の係合部３２ａに設けられた軸（図示しない）中心に、図４（ａ）〜図４（ｃ）に示すように回動する。可動部３４の一端部３４ａは、可動部３４を操作するときの操作部分として機能する。
【００３９】
スペーサ部３６は、第１刃部２０ａと第２刃部２２ａとの間隔を調整する板状のスペーサ３６ａを有している。スペーサ部３６は、可動部３４に連結されており、可動部３４と一体に移動する。すなわち、スペーサ部３６のスペーサ３６ａは、図２及び図４（ａ）に示されるように、第１切断刃２０の支持部２０ｂ上に位置する第１の位置（使用位置）と、図４（ｂ）及び図４（ｃ）に示されるように、第１の位置以外の第２の位置（待機位置（図４（ｂ））、収納位置（図４（ｃ）））とに移動可能とされている。調整治具３０は、可動部３４を可動させたときに、スペーサ３６ａが第１の位置に配置されるように、光ファイバ載置部１７に取り付けられる。
【００４０】
スペーサ３６ａの厚みは、光ファイバ心線１００において第１被覆部１０４の直径Ｄ２が０．２５ｍｍ、第２被覆部１０６の直径Ｄ３が０．５ｍｍの場合には、例えば、２００μｍ〜３００μｍ程度に設定される。スペーサ３６ａの厚みは、被覆部の直径等に応じて適宜設定されればよい。
【００４１】
図５は、調整治具（スペーサ）による一対の刃部の間隔の調整を示す図である。図５（ａ）に示されるように、調整治具３０を使用していない場合、つまりスペーサ３６ａが第１切断刃２０の支持部２０ｂと第２切断刃２２の支持部２２ｂとの間に位置していない場合には、第１刃部２０ａと第２刃部２２ａとの中心部の間隔はＷ１となる。この間隔Ｗ１は、第１被覆部１０４に切込みを入れると共に、ガラスファイバ１０２に当たらないように設定されており、例えば、０．１２５ｍｍよりも大きく且つ０．２５ｍｍ以下である。
【００４２】
一方、図５（ｂ）に示されるように、調整治具３０を使用している場合、つまりスペーサ３６ａが第１切断刃２０の支持部２０ｂと第２切断刃２２の支持部２２ｂとの間に位置している場合には、第１刃部２０ａと第２刃部２２ａとの中心部の間隔はＷ２（Ｗ２＞Ｗ１）となる。この間隔Ｗ２は、例えば、０．２５ｍｍよりも大きく且つ０．５ｍｍ以下である。
【００４３】
続いて、被覆除去器１における光ファイバ心線１００の被覆除去方法について説明する。最初に、光ファイバ心線１００の第１被覆部１０４（及び第２被覆部１０６）を除去する方法、つまりガラスファイバ１０２を露出させる方法について説明する。
【００４４】
最初に、光ファイバホルダＨに光ファイバ心線１００をセットする。次に、光ファイバホルダ保持部３と本体部５を接近させた状態で、蓋部１１及び蓋部１９を開き、光ファイバホルダ保持部３のホルダ搭載部９に、光ファイバホルダＨをセットする。そして、光ファイバホルダＨから突出する光ファイバ心線１００の先端側を第１切断刃２０を跨いでヒータ２４ａ上に配置する。
【００４５】
次に、蓋部１１を閉じると共に、蓋部１９を閉じる。このとき、調整治具３０のスペーサ部３６は、図４（ｂ）又は図４（ｃ）に示す状態としておく。そうすると、２枚の第１及び第２切断刃２０，２２の第１及び第２刃部２０ａ，２２ａによって光ファイバ心線１００の第１被覆部１０４及び第２被覆部１０６が切断される。このとき、蓋部１９を閉じたことによってヒータ通電スイッチがＯＮになり、ヒータ２４ａが通電される。そして、ヒータ２４ａ上に載置された光ファイバ心線１００の被覆除去対象部分の第１被覆部１０４及び第２被覆部１０６が、ヒータ２４ａによって高速昇温され軟化する。
【００４６】
続いて、光ファイバ心線１００の第１被覆部１０４及び第２被覆部１０６が被覆除去のための最適温度に達したことを操作部１５の表示部１６ａによって確認したら、光ファイバホルダ保持部３と本体部５とをそれぞれ把持し、光ファイバホルダ保持部３を本体部５から離間させる前方に動かす。このようにすると、２枚の第１及び第２切断刃２０，２２による切断箇所よりも先端側で加熱されて軟化した第１被覆部１０４及び第２被覆部１０６が除去され、光ファイバ心線１００の端部でガラスファイバ１０２が露出される。
【００４７】
次に、光ファイバ心線１００の第２被覆部１０６のみを除去する方法について説明する。
【００４８】
最初に、光ファイバホルダＨに光ファイバ心線１００をセットする。次に、光ファイバホルダ保持部３と本体部５を接近させた状態で、蓋部１１及び蓋部１９を開き、光ファイバホルダ保持部３のホルダ搭載部９に、光ファイバホルダＨをセットする。そして、光ファイバホルダＨから突出する光ファイバ心線１００の先端側を第１切断刃２０を跨いでヒータ２４ａ上に配置する。
【００４９】
次に、蓋部１１を閉じる共に、蓋部１９を閉じる。このとき、調整治具３０のスペーサ部３６は、図２及び図４（ａ）に示す状態としておく。つまり、可動部３４を回動させて、スペーサ部３６のスペーサ３６ａを、第１切断刃２０の支持部２０ｂ上に位置させておく。そうすると、蓋部１９が閉じられたときに、第１切断刃２０の支持部２０ｂと第２切断刃２２の支持部２２ｂとの間にスペーサ３６ａが位置し、第１刃部２０ａと第２刃部２２ａとの間隔Ｗ２が大きくなる（図５（ｂ）参照）。これにより、２枚の第１及び第２切断刃２０，２２の第１及び第２刃部２０ａ，２２ａよって光ファイバ心線１００の第２被覆部１０６のみが切断される。このとき、蓋部１９を閉じたことによってヒータ通電スイッチがＯＮになり、ヒータ２４ａが通電される。そして、ヒータ２４ａ上に載置された光ファイバ心線１００の被覆除去対象部分の第２被覆部１０６が、ヒータ２４ａによって高速昇温され軟化する。
【００５０】
続いて、光ファイバ心線１００の第２被覆部１０６が被覆除去のための最適温度に達したことを操作部１５の表示部１６ａによって確認したら、光ファイバホルダ保持部３と本体部５とをそれぞれ把持し、光ファイバホルダ保持部３を本体部５から離間させる方向に動かす。このようにすると、２枚の第１及び第２切断刃２０，２２による切断箇所よりも先端側で加熱されて軟化した第２被覆部１０６が除去される。
【００５１】
以上説明したように、本実施形態の被覆除去器１は、第１刃部２０ａと第２刃部２２ａとの間隔を調整する調整治具３０を備えている。これにより、ガラスファイバ１０２を被覆する第１被覆部１０４及び第２被覆部１０６を有する光ファイバ心線１００であっても、被覆部１０４，１０６の直径に応じて第１刃部２０ａと第２刃部２２ａとの間隔を調整できるため、各被覆部１０４，１０６の除去を被覆除去器１で行うことができる。
【００５２】
特に、調整治具３０において、本体部３２は、被覆除去部１３（光ファイバ載置部１７）に着脱可能に取り付けられており、スペーサ部３６は、可動部３４と共に動作することで、第１切断刃２０と第２切断刃２２との間に位置する第１の位置と、第１の位置以外の第２の位置とに移動する。すなわち、可動部３４を回動させる操作により、第１切断刃２０と第２切断刃２２との間隔を調整できる。このように、被覆除去器１では、調整治具３０を容易に取り付け、取り外すことができると共に、第１刃部２０ａと第２刃部２２ａとの間隔の調整を容易に行うことができる。したがって、被覆除去器１では、光ファイバ心線１００の被覆部除去の作業性の向上を図ることができる。
【００５３】
本実施形態では、第１切断刃２０の支持部２０ｂと第２切断刃２２の支持部２２ｂとの間にスペーサ３６ａを配置する。このように、第１切断刃２０及び第２切断刃２２に直接スペーサ３６ａを位置させることにより、例えば、光ファイバ載置部１７と蓋部１９との間にスペーサ３６ａを配置する場合に比べて、第１刃部２０ａと第２刃部２２ａとの間隔の寸法精度を高めることができる。
【００５４】
本実施形態の調整治具３０において、本体部３２の連結部３２ｃは、板ばねにより構成されている。これにより、調整治具３０の着脱をより容易に行うことが可能となる。
【００５５】
本実施形態の調整治具３０において、可動部３４は、本体部３２に対して回転可能に設けられている。これにより、調整治具３０では、可動部３４を回転させることにより、スペーサ部３６を、第１の位置と第２の位置とに移動させることができる。したがって、スペーサ部３６の設置と取り外しをより容易に行うことが可能となる。
【００５６】
本発明は、上記実施形態に限定されるものではない。例えば、上記実施形態では、本体部３２に可動部３４を回動可能に取り付け、可動部３４にスペーサ部３６を設けることで、スペーサ部３６を第１の位置と第２の位置とに移動可能としているが、スペーサ部３６を第１の位置と第２の位置とに移動させる機構は、他の機構であってもよい。例えば、可動部が摺動し、これに伴いスペーサ部３６が第１の位置と第２の位置とに移動する構成であってもよい。
【００５７】
上記実施形態では、板ばねで構成された連結部３２ｃによって、本体部３２（調整治具３０）を光ファイバ載置部１７に対して着脱可能としているが、調整治具３０を被覆除去部１３に対して着脱可能とするための構成は、これに限定されない。例えば、連結部３２ｃをコイルばねにしてもよい。また、調整治具３０を被覆除去部１３に対して着脱可能とするための構成は、いかなる構成であってもよい。
【符号の説明】
【００５８】
１…被覆除去器、３…光ファイバホルダ保持部、５…本体部（被覆除去部）、１７…光ファイバ載置部、１９…蓋部、２０…第１切断刃、２０ａ…第１刃部（第１切断刃）、２０ｂ…支持部（第１切断刃）、２２…第２切断刃、２２ａ…第２刃部（第２切断刃）、２２ｂ…支持部（第２切断刃）、３０…調整治具、３２…本体部、３２ａ…係合部（第１の係合部）、３２ｂ…爪部（第２の係合部）、３２ｃ…連結部、３４…可動部、３６…スペーサ部、１００…光ファイバ心線（光ファイバ）、１０２…ガラスファイバ、１０４…第１被覆部（被覆部）、１０６…第２被覆部（被覆部）。
【図１】
0006014074.tif 000002
【図２】
0006014074.tif 000003
【図３】
0006014074.tif 000004
【図４】
0006014074.tif 000005
【図５】
0006014074.tif 000006